(57)【要約】【課題】移動中の交通手段内や視覚障害者にも使用できるゲーム盤の提供を目的とする。【解決手段】ゲーム用の駒を配置する盤本体に、駒を差込みする複数の穴を設けた。これらの穴には、穴同士を結ぶ案内溝を設けることで、棒状よりなる駒を差込み易くすると共に、移動中の交通手段の中でも遊べるようなゲーム盤とした。また、触手により自他の駒を判別できる標示を設けたことにより、視覚障害者も使用できるゲーム盤とした。【選択図】        図１
2004358185.tif 000002
【特許請求の範囲】
【請求項１】
ゲーム用の駒を配置する盤本体と、
この盤本体に設けられ、前記駒を差込みする複数の穴と、
この複数の穴同士を結ぶ駒挿入用の案内溝と、
前記複数の穴に差込んで用いる棒状の駒とからなるゲーム盤。
【請求項２】
ゲーム用の駒を配置する盤本体と、
この盤本体に設けられ、前記駒を差込みする複数の穴と、
この複数の穴に差込んで用いると共に、その両端の形状を互いに異ならせた棒状の駒とからなるゲーム盤。
【請求項３】
ゲーム用の駒を配置する盤本体と、
この盤本体に設けられ、前記駒を差込みする複数の穴と、
この複数の穴に差込んで用いる棒状の駒と、
これらの駒を収容すると共に、前記盤本体に一体化して設けた駒の収納手段とからなるゲーム盤。
【発明の詳細な説明】
【０００１】
【発明の属する技術分野】
本発明は挟み将棋や碁及びオセロゲーム（登録商標）などの駒を棒状にすると共に、盤に駒差込み用の穴を設けることで、移動中の交通手段の中や視覚障害者にも使用できるように、使用場所や使用対象者を拡大するように改善したゲーム盤に関する。
【０００２】
【従来の技術】
盤面に複数の穴を設けると共に、この穴にその両端を色分けした駒を差込んで用いるゲーム盤がある。（例えば特許文献１参照）
また、視覚障害者用のオセロゲーム（以下登録商標）としては、発光ダイオードやスイッチなどを用いて、電気的に処理した視覚障害者用のオセロゲーム機がある。（例えば特許文献２参照）
【０００３】
【特許文献１】
実開平５−４４１６７号公報
【特許文献２】
特開平７−１４８３０５号公報
【０００４】
【発明が解決しようとする課題】
特許文献１に示すゲーム盤は、オセロゲームの面白さのほかに、相手の陣地内に攻め込んで戦う理由で、盤の両端を三角形にしてその一方を自分の陣地としたものである。
ゲーム中に三角形の一番奥の穴に、駒を進めた方が勝ちというオセロとは全く異なるゲームである。
その両端を２色に色分けした駒を、盤に設けた穴に差込むことは記載されているが、視覚障害者が駒を穴に入れ易くする手段や、触手による駒の向きが判別できるような手段が用意されていないので、健常者だけに使えるゲーム盤であった。
また、特許文献２に示す視覚障害者用のオセロゲーム機は、電気的な手段を用いるゲーム機で、升目のそれぞれに白黒用タッチ表示器や位置スイッチ、及び２色発光ダイオード更にそれらに付随する各種の検出手段や判定手段などがある。
従って、構造や操作などが複雑であり、オセロとはいいながらも、操作が全く異なるゲーム機であるという欠点があって高価でもあった。
本発明は、このような不具合を解消するためになされたものであり、ゲーム台に複数の穴を設けると共に、形状の確認が容易な棒状の駒を差込むことで、移動中の交通手段内や視覚障害者などにも使用できるゲーム盤の提供を目的とする。
【０００５】
【課題を解決するための手段】
上記不具合を解決するために、本発明は次のような構成としている。
請求項１に記載したゲーム盤は、ゲーム用の駒を配置する盤本体に前記駒を差込みする複数の穴を設けた。これらの穴には、穴同士を結ぶ案内溝を設けることで、棒状よりなる駒を差込み易くすると共に、移動中の交通手段の中でも遊べるゲーム盤とした。
請求項２に記載したゲーム盤は、ゲーム用の駒を配置する盤本体に、前記駒を差込みする複数の穴を設けた。これらの穴に差込んで用いる棒状の駒の両端形状を、互いに異ならせることで、触手により自他の駒を確認できるようにしたことでゲーム盤とした。
棒状の駒の両端形状を異ならせることで、視覚障害者も遊べるようにした。
請求項３に記載したゲーム盤は、ゲーム用の駒を配置する盤本体に、前記駒を差込みする複数の穴を設けた。これらの穴に差し込んで用いる棒状の駒を収容すると共に、前記盤本体に一体化して駒の収容手段を設けることでゲーム盤とした。
盤本体と一体化して駒の収容手段を設けることで、視覚障害者が更に使い易いゲーム盤とした。
【０００６】
【発明の実施の形態】
本発明について、図面を参照して説明する。図１は本発明のゲーム盤を示す斜視図、図２は図１の分解斜視図、図３は図２で示す盤本体の要部拡大図、図４は図２で示した駒の斜視図である。
本発明のゲーム盤について、オセロゲーム（以下登録商標）用として用いた例について説明する。
本発明のゲーム盤１０は、図１で示すように複数の穴１４を設けた盤本体１２と、この盤本体に設けた穴１４に差込んで用いる棒状の駒２５と、盤本体１２の外周囲を囲むように配設した枠３０とからなる。
枠３０は、ゲーム中につかみそこねた駒２５が、盤本体１２外側へ落下することを防止するためのものである。このような盤本体１２と駒２５及び枠３０とは、図２で示すように互いに分解することが可能であり、これらの盤本体１２と駒２５及び枠３０とについて、更に詳細に説明する。
【０００７】
盤本体１２は図２及び図３で示すように、その中央部を一段高くして設けたゲーム台１３とゲーム台の両端に設けられゲームに使用する駒２５を配置する収納手段２０としての駒置台２３とからなる。
ゲーム台１３には複数の穴１４を碁盤目状に配置しており、穴１４の数はゲームの種類に応じて変えるものであるが、この例では３６個の穴１４を設けている。これは、視覚障害者が判別し易いように、ゲーム盤の大きさや駒数に配慮したためである。
また、収容手段２０としての駒置台２３にも穴２４が設けられ、それぞれの持駒数を収容できるように、例えば片側に１８個ずつの駒を収容するようにしている。
ゲーム台に設けた穴１４と駒置台とに設けた穴２４とは、棒状の駒２５が挿入できる大きさであり、深さも略同じに形成している。
このような盤本体には、更に案内溝１６を設けている。この案内溝１６は図３で示すように、各穴同士を縦、横、斜めに結ぶＵ字又はＶ字状よりなる溝である。この案内溝１６にそって駒を移動させることにより、駒２５を穴１４に入れ易くすることができる。この案内溝１６は縦、横、斜めの方向に全て設ける必要はなく縦、横だけ又は斜めだけでも良い。
このような案内溝１６と穴１４とを設けた盤本体１２には、盤本体の中心を示す中心標示１３を設けている。この中心標示１３は、触手で確認できるように小孔又は小突起よりなる標示であり、ゲームの開始前に配置する駒の位置を、明確に指示する標示である。
また、図示しないがゲーム台１３の各角部に、中心標示と同様の標示を設けて、その内側の範囲に穴１４が設けられていることを示す周辺標示を設けることも可能である。
【０００８】
駒２５について図４を参照して説明する。駒２５は、ゲーム台１３に設けた穴１４に挿入する棒状本体２６よりなり、図４で示すように長さ方向の中央部で区分されて、白色と黒色とに色分けされている。
このような棒状本体２６よりなる駒２５は、その両端の形状が互いに異なるように設定している。例えば、どちらか一方の端部は、半球状にした球状突起２７として、他端側は平坦面２８に形成している。
このように棒状本体２６の両端形状を異ならせたのは、触手により自他の駒の種類を判別できるようにしたためである。従って、駒の両端形状は、球状突起２７と平坦面２８とに限定することなく、触手によって自他の駒を確認できる形状であれば良い。
また、両端面の形状を変えるだけでなく、両端部の周壁面に自他の駒の種類を判別できる標示を設けることでも良い。更に、棒状本体２６の形状も円柱に限らずに、角柱であったり他の形状にしたりして、盤本体１２に設ける穴も、棒状本体が挿入できる形状に合せることで、対応することができる。
また、棒状本体を角柱にして両端部のみ円形にすれば、ころがり防止の駒となり上述したゲーム台がそのまま使用することができる。
【０００９】
枠３０について図面を参照して説明する。枠３０は図２で示すように、板材を方形の枠形に形成した枠本体３１と、この枠本体の複数個所に設けた支持脚３２とからなる。
このような枠本体３１は、前述した盤本体１２の外周囲に配置されるものであり、ゲーム中などに駒２５が盤本体１２の外側に落下しないように配慮したものである。従って、盤本体１２の面よりも、上方に突出した状態で配設される。
支持脚３２は、デザイン的な面と枠本体３１を形成する板材の幅が狭いものを使用するためであり、削除することも可能である。
また、この枠３０は盤本体１２に一体化して形成したり、盤本体の外周部を高さ方向に突出させたりすることで、対応することも可能である。
また、枠本体はゲーム台と同じ高さ又は、それよりも低くした幅広の枠として、この幅広の枠に幅広の溝を設けて、落下した駒を受止めるような構成でも良い。
【００１０】
このように構成したオセロ用のゲーム盤１０を使用するには、視覚障害者であれば、駒の両端形状を触手により確認すると共に、自他の駒の種類を、駒置台２３の穴２４に差込んで、ゲームの準備をする。
更に、ゲーム台１３に設けた中心標示を案内にして、その周囲の穴１４に１対ずつの駒を配置させると共に、オセロゲームのルールによって、ゲームを開始するものである。ゲームの方法については、公知でありその説明を省略する。
ゲーム中の駒の配列は、触手による先端部の形状を確認することによって、確認した駒２５を穴１４に差込みながらゲームを行う。
駒２５の穴１４への差込みは、穴の周辺に設けた案内溝１６にそって、駒を移動させることにより、穴に対する差込みが容易にできるものである。
従って、視覚障害者同士の対戦はもとより、視覚障害者と健常者、又は健常者同士のゲームが可能となるものである。
【００１１】
本発明の他の例について、図面を参照して説明する。図５は本発明の他の例を示すゲーム盤の斜視図、図６は図５の分解斜視図である。
図５で示すゲーム盤４０は、前述例と同様に複数の穴４４を設けた盤本体４２と、この盤本体に設けた穴４４に差込んで用いる図示しない棒状の駒と、この駒を収容する駒の収納手段６０とからなる。
盤本体４２を形成するゲーム台と駒とは、図１の例と同じでありその説明は省略する。また、枠についても必要に応じて、前述例と同様に配置させることも可能である。
図５で示す他の例のゲーム盤４０は、駒の収納手段６０としての駒置台を、盤本体４２から引出して、使用できるようにしたことが特徴であり、これについて更に詳細に説明する。
【００１２】
盤本体４２は図６で示すように、対向する両端のそれぞれに、駒の収納手段６０を引出し可能な状態で設けている。駒を配列するゲーム台の下側には、駒置台収納部５０としての空間部が設けられ、この内部に収納手段６０としての箱形の駒置台６３を収容する構成である。
図６で示す駒置台６３は、説明の都合上の理由で、盤本体４２と離れているが、ストッパー機構を設けることで、駒置台６３と盤本体４２とは離れることなく、駒置台６３の奥部が常に盤本体に掛止されるように形成している。よって、ゲーム盤４０の移動中に駒置台が盤本体から脱落することを防止する。
駒置台６３には引出し操作用の取手６５と、両端下部に１対の支持脚６６とを設けている。また、盤本体４２の駒置台収納部５０の入口両端には、駒置台６３に設けた支持脚６６が挿入される切欠５４が設けられることで、駒置台６３は盤本体４２に、同一平面を保って収容させることができる。
この支持脚６６の存在で、駒置台６３を盤本体４２から引出しても、駒置台６３は傾斜することなく、同一高さを保って引出すことができる。この理由は前述したストッパー機構によって、駒置台６３の終端部が盤本体４２内に残り、完全に離脱しないからである。
駒置台は、その内部が湾曲した底面に形成されることで、駒が置台の中心部に集まるから、つかみ易くなるように配慮している。また、前述例と同様に駒の差込穴を設けて、駒を整列配置させる構成でも良い。
【００１３】
このように構成したオセロ用のゲーム盤４０を使用する場合は、前述例と同様にゲームを行うことができる。
駒置台６３は、盤本体４２内に収容可能であるから、ゲーム盤としての外形が小さくなり、持運びが容易になる。従って、移動中の交通手段の中でも、ゲームを楽しむことができるし、駒が穴に差込み易い構造であり、差込んだ駒は簡単に動くこともないので、揺れ動く乗物の中でも使用することができる。
ゲーム台や駒には、確実にゲームができるように、触手による各種の案内手段を設けたので、健常者だけでなく視覚障害者、更に肢体障害者などにも楽しんでもらえるゲーム盤である。
尚、このゲーム盤は、オセロ用だけでなく、挟み将棋や碁などにも適用することができるものである。
【００１４】
【発明の効果】
以上説明したように本発明によれば、ゲーム台に穴を設けて駒を差込み式にしたことにより、以下の効果を得ることができた。
すなわち、駒が簡単に穴から抜けないので、移動中の交通手段の中でも、ゲームを楽しむことができるようになった。
駒には触手によって、自他の駒を判別できる標示を設けたことと、穴の周辺に穴の位置を指示する案内溝を設けたので、視覚障害者も健常者と一緒に遊べるゲーム盤である。
視覚障害者用として駒の数を少くすると共に、駒の収納手段を設けたことによって、更に使い易くなっただけでなく、収納手段を引出し式にすると、全体形状が更に小型化するので、携帯にも便利であるなどの効果を得ることができた。
【図面の簡単な説明】
【図１】本発明のゲーム盤を示す斜視図である。
【図２】図１の分解斜視図である。
【図３】図２で示す盤本体の要部拡大図である。
【図４】図２で示す駒の斜視図である。
【図５】本発明の他の例のゲーム盤を示す斜視図である。
【図６】図５の分解斜視図である。
【符号の説明】
１０  ゲーム盤
１２  盤本体
１４  穴
１６  案内溝
２０  収納手段
２３  駒置台
２５  駒
３０  枠
４０  ゲーム盤
４２  盤本体
４４  穴
５０  駒置台収納部
６０  収納手段
６３  駒置台
【図１】
2004358185.tif 000003
【図２】
2004358185.tif 000004
【図３】
2004358185.tif 000005
【図４】
2004358185.tif 000006
【図５】
2004358185.tif 000007
【図６】
2004358185.tif 000008